(57)【要約】アプリケーションを実行している情報システムと、画像化装置、コード化データ源、及び情報システムに接続されたコンピュータ可読信号保持媒体信号（図１の１１，１２，１３，１４，１５，１６，１７，１８，２１，２２，２３，２４，２５，２６，２７，３１，３２，３３，４１，４２，４３，４４，４５，５１，５２，５３，５４，５５，９１，９２，９３）とが併用される。データを表すデータ源からの光は、画像化装置によって検出され、同装置は光を表す信号を情報システムに入力する。同媒体の使用コンポーネントは、アプリケーションがこのデータ部を利用できるようにし、このアプリケーションはデータによって指定される。画像化装置は、情報システムと信号接続された複数の画像化装置に属し得る。コード化データ源は、複数のコード化データ源に属し得る。アプリケーションは、情報システムによって実行される複数のアプリケーションに属し得る。媒体は、データの使用、画像化装置の管理、及び信号の出力を生じさせる複数のコンポーネントを有し得る。
2004516564.tif 000002
【特許請求の範囲】
【請求項１】
第１コード化データ源と、
前記第１コード化データ源は第１データを表すことと、
前記第１コード化データ源からの第１光と、
前記第１光は前記第１データを表すことと、
第１画像化装置と、
前記第１画像化装置は情報システムと信号接続されていることと、
前記第１画像化装置は第１視界を有することと、
前記第１視界は前記第１の３本の直交軸の組に沿って延びることと、
前記第１視界は前記第１コード化データ源と重なっていることと、
第１信号と、
前記第１信号は、前記第１画像化装置が前記第１コード化データ源からの第１光を検出したときに前記第１画像化装置によって発せられることと、
前記第１信号は前記情報システムに入力されることと、
前記第１信号は前記第１光を表すことと、
コンピュータ可読信号保持媒体と、
前記媒体は前記情報システムと信号接続されていることと、
前記媒体は使用コンポーネントを有することと、
前記使用コンポーネントは、前記第１データが前記第１アプリケーションを指定している場合に前記情報システムによって実行される第１アプリケーションが前記第１データの少なくとも一部を利用できるようにすることとからなる、前記情報システムと併用するために適したデータ入力装置。
【請求項２】
前記媒体の出力コンポーネントを有し、該出力コンポーネントは前記第１アプリケーションによって生成された第１出力データを出力させるために適した、請求項１に記載の装置。
【請求項３】
前記第１コード化データ源は複数のコード化データ源に属する、請求項１に記載の装置。
【請求項４】
前記第１画像化装置は複数の画像化装置に属し、
前記複数の画像化装置は集合視界を有し、
前記第１視界は前記集合視界内に存在する、請求項１に記載の装置。
【請求項５】
前記第１アプリケーションは前記情報システムによって実行される複数のアプリケーションに属する、請求項１に記載の装置。
【請求項６】
前記第１コード化データ源は複数のコード化データ源に属し、
前記第１画像化装置は複数の画像化装置に属し、
前記複数の画像化装置は集合視界を有し、
前記第１視界は前記集合視界内に存在し、
前記第１アプリケーションは前記情報システムによって実行される複数のアプリケーションに属する、請求項１に記載の装置。
【請求項７】
前記媒体の記録コンポーネントをさらに有し、該記録コンポーネントは、前記第１データの記録が許容される場合に前記情報システムが利用可能な使用データの一部として前記第１データの少なくとも一部を前記情報システムによって記録させる、請求項６に記載の装置。
【請求項８】
前記媒体の識別情報コンポーネントをさらに有し、該識別情報コンポーネントは、前記第１データによって前記第１コード化データ源の識別情報の記録が許容される場合に前記識別情報を前記使用データの一部として前記情報システムによって記録させる、請求項７に記載の装置。
【請求項９】
前記媒体の領域コンポーネントをさらに有し、該領域コンポーネントは使用データによって指定された空間領域を複数の画像化装置のうちの画像化装置に描画させるために適した、請求項７に記載の装置。
【請求項１０】
前記媒体の方向特定コンポーネントをさらに有し、該方向特定コンポーネントは参照点としての前記使用データの一部として前記第１コード化データ源の空間的位置を前記情報システムによって記録させるために適した、請求項７に記載の装置。
【請求項１１】
前記媒体の表示コンポーネントをさらに有し、該表示コンポーネントは前記集合視界を変化させるために適した、請求項７に記載の装置。
【請求項１２】
前記媒体の位置特定コンポーネントをさらに有し、該位置特定コンポーネントは前記第１コード化データ源の位置を少なくとも１つの参照点を基準として特定させるために適した、請求項７に記載の装置。
【請求項１３】
前記媒体の調整コンポーネントをさらに有し、該調整コンポーネントは前記ｃ適する、請求項７に記載の装置。
【請求項１４】
前記媒体の追跡コンポーネントをさらに有し、該追跡コンポーネントは前記第１データ源の位置の経時変化を前記使用データの一部として前記情報システムによって記録させるために適した、請求項７に記載の装置。
【請求項１５】
前記媒体の確認コンポーネントをさらに有し、該確認コンポーネントは、前記使用データが確認を指定している場合に前記位置の経時変化と前記第１データとが矛盾していないことを判定させるために適した、請求項１４に記載の装置。
【請求項１６】
前記媒体の最適化コンポーネントをさらに有し、該最適化コンポーネントは、前記使用データが最適化を指定している場合に前記第１コード化データ源から対象位置への最適経路を前記情報システムに生成させる、請求項７に記載の装置。
【請求項１７】
前記媒体の変化コンポーネントをさらに有し、該変化コンポーネントは、前記第１データが変化量を指定している場合に変化量データを前記使用データの一部として前記情報システムによって記録させる、請求項７に記載の装置。
【請求項１８】
前記媒体の制御コンポーネントをさらに有し、該制御コンポーネントは、第１データが制御を指定している場合に前記情報システムによって制御信号を生成させる、請求項１７に記載の装置。
【請求項１９】
第１コード化データ源と、
前記第１コード化データ源は複数のコード化データ源に属することと、
前記第１コード化データ源は第１データを表すことと、
前記第１コード化データ源からの第１光と、
前記第１光は前記第１データを表すことと、
第１画像化装置と、
前記第１画像化装置は第１視界を有することと、
前記第１画像化装置は複数の画像化装置に属することと、
前記複数の画像化装置は集合視界を有することと、
前記集合視界は前記複数のコード化データ源のうちの少なくとも一部のコード化データ源と重なっていることと、
前記第１視界は前記集合視界に存在することと、
前記第１視界は前記第１の３本の直交軸の組に沿って延びることと、
前記第１視界は前記第１コード化データ源と重なっていることと、
前記複数の画像化装置のうちの各画像化装置は情報システムと信号接続されていることと、
前記第１画像化装置は前記情報システムと信号接続されていることと、
第１信号と、
前記第１信号は、前記第１画像化装置が前記第１コード化データ源からの第１光を検出したときに前記第１画像化装置によって発せられることと、
前記第１信号は前記情報システムに入力されることと、
前記第１信号は前記第１光を表すことと、
コンピュータ可読信号保持媒体と、
前記媒体は前記情報システムと信号接続されていることと、
前記媒体は使用コンポーネントを有することと、
前記使用コンポーネントは、前記第１データが前記第１アプリケーションを指定している場合に前記情報システムによって実行される第１アプリケーションが前記第１データの少なくとも一部を利用できるようにすることと、前記第１アプリケーションは複数のアプリケーションに属することとからなる、前記情報システムと併用するために適したデータ入力装置。
【請求項２０】
前記媒体の出力コンポーネントをさらに有し、該出力コンポーネントは前記第１アプリケーションによって生成された第１出力データを出力させるために適した、請求項１９に記載の装置。
【請求項２１】
前記媒体の記録コンポーネントをさらに有し、該記録コンポーネントは、前記第１データの記録が許容される場合に前記情報システムが利用可能な使用データの一部として前記第１データの少なくとも一部を前記情報システムによって記録させる、請求項１９に記載の装置。
【請求項２２】
前記媒体の識別情報コンポーネントをさらに有し、該識別情報コンポーネントは、前記第１データによって前記第１コード化データ源の識別情報の記録が許容される場合に前記識別情報を前記使用データの一部として前記情報システムによって記録させる、請求項２１に記載の装置。
【請求項２３】
前記媒体の領域コンポーネントをさらに有し、該領域コンポーネントは使用データによって指定された空間領域を複数の画像化装置のうちの画像化装置に描画させるために適した、請求項２１に記載の装置。
【請求項２４】
前記媒体の方向特定コンポーネントをさらに有し、該方向特定コンポーネントは参照点としての前記使用データの一部として前記第１コード化データ源の空間的位置を前記情報システムによって記録させるために適した、請求項２１に記載の装置。
【請求項２５】
前記媒体の表示コンポーネントをさらに有し、該表示コンポーネントは前記集合視界を変化させるために適した、請求項２１に記載の装置。
【請求項２６】
前記媒体の位置特定コンポーネントをさらに有し、該位置特定コンポーネントは前記第１コード化データ源の位置を少なくとも１つの参照点を基準として特定させるために適した、請求項２１に記載の装置。
【請求項２７】
前記媒体の調整コンポーネントをさらに有し、該調整コンポーネントは前記複数の画像化装置のうちの少なくとも一部の画像化装置の調整を生じさせるために適した、請求項２１に記載の装置。
【請求項２８】
前記媒体の追跡コンポーネントをさらに有し、該追跡コンポーネントは前記第１データ源の位置の経時変化を前記使用データの一部として前記情報システムによって記録させるために適した、請求項２１に記載の装置。
【請求項２９】
前記媒体の確認コンポーネントをさらに有し、該確認コンポーネントは、前記使用データが確認を指定している場合に前記位置の経時変化と前記第１データとが矛盾していないことを判定させるために適した、請求項２８に記載の装置。
【請求項３０】
前記媒体の最適化コンポーネントをさらに有し、該最適化コンポーネントは、前記使用データが最適化を指定している場合に前記第１コード化データ源から対象位置への最適経路を前記情報システムに生成させる、請求項２１に記載の装置。
【請求項３１】
前記媒体の変化コンポーネントをさらに有し、該変化コンポーネントは、前記第１データが変化量を指定している場合に変化量データを前記使用データの一部として前記情報システムによって記録させる、請求項２１に記載の装置。
【請求項３２】
前記媒体の制御コンポーネントをさらに有し、該制御コンポーネントは、第１データが制御を指定している場合に前記情報システムによって制御信号を生成させる、請求項３１に記載の装置。
【請求項３３】
前記複数の画像化装置のうちの少なくとも一部の画像化装置は可撓性シートに組み込まれている、請求項１９に記載の装置。
【請求項３４】
前記媒体の少なくとも一部は可撓性シートに組み込まれている、請求項３３に記載の装置。
【請求項３５】
前記複数のコード化データ源のうちの少なくとも一部のコード化データ源は可撓性シートに組み込まれている、請求項１９に記載の装置。
【請求項３６】
第１コード化データ源と、
前記第１コード化データ源は複数のコード化データ源に属することと、
前記第１コード化データ源は第１データを表すことと、
前記第１コード化データ源からの第１光と、
前記第１光は前記第１データを表すことと、
第１画像化装置と、
前記第１画像化装置は第１視界を有することと、
前記第１画像化装置は複数の画像化装置に属することと、
前記複数の画像化装置は集合視界を有することと、
前記集合視界は前記複数のコード化データ源のうちの少なくとも一部のコード化データ源と重なっていることと、
前記第１視界は前記集合視界に存在することと、
前記第１視界は前記第１の３本の直交軸の組に沿って延びることと、
前記第１視界は前記第１コード化データ源と重なっていることと、
前記複数の画像化装置のうちの各画像化装置は情報システムと信号接続されていることと、
前記第１画像化装置は前記情報システムと信号接続されていることと、
第１信号と、
前記第１信号は、前記第１画像化装置が前記第１コード化データ源からの第１光を検出したときに前記第１画像化装置によって発せられることと、
前記第１信号は前記情報システムに入力されることと、
前記第１信号は前記第１光を表すことと、
コンピュータ可読信号保持媒体と、
前記媒体は前記情報システムと信号接続されていることと、
前記媒体は使用コンポーネントを有することと、
前記使用コンポーネントは、前記第１データが前記第１アプリケーションを指定している場合に前記情報システムによって実行される第１アプリケーションが前記第１データの少なくとも一部を利用できるようにすることと、前記第１アプリケーションは複数のアプリケーションに属することと、
前記媒体の記録コンポーネントと、
前記記録コンポーネントは、前記第１データの記録が許容される場合に前記情報システムが利用可能な使用データの一部として前記第１データの少なくとも一部を前記情報システムによって記録させることと、
前記媒体の識別情報コンポーネントと、
前記識別情報コンポーネントは、前記第１データによって前記第１コード化データ源の識別情報の記録が許容される場合に前記識別情報を前記使用データの一部として前記情報システムによって記録させることと、
前記媒体の調整コンポーネントと、
前記調整コンポーネントは前記複数の画像化装置のうちの少なくとも一部の画像化装置の調整を生じさせるために適したこととからなる、前記情報システムと併用するために適したデータ入力装置。
【請求項３７】
前記複数の画像化装置のうちの少なくとも一部の画像化装置は可撓性シートに組み込まれている、請求項３６に記載の装置。
【請求項３８】
前記媒体の少なくとも一部は可撓性シートに組み込まれている、請求項３７に記載の装置。
【請求項３９】
前記複数のコード化データ源のうちの少なくとも一部のコード化データ源は可撓性シートに組み込まれている、請求項３６に記載の装置。
【発明の詳細な説明】
【０００１】
本出願は、２０００年１２月１５日に提出された米国仮出願番号第６０／２５６，０８６号に基づく優先権を主張する。
【０００２】
情報システムと併用される本装置は、情報システムによって実行される第１アプリケーションを指定する第１コード化データ源と、第１コード化データ源からの光を検出して情報システムに信号を入力する第１画像化装置と、第１コード化データ源によって表されるデータを第１アプリケーションに転送するコンピュータ可読信号保持媒体とからなる。
【０００３】
第１コード化データ源からの第１データを表す第１光が第１画像化装置によって検出され、第１光を表す第１信号が同装置によって情報システムに入力される。上記媒体の使用コンポーネントによって、第１アプリケーションが第１データの少なくとも一部を利用できるようになる。第１アプリケーションは第１データによって指定される。
【０００４】
第１画像化装置は、複数の画像化装置に含まれ得る、複数の画像化装置は全て情報システムに信号接続されている。第１コード化データ源は、複数のコード化データ源に含まれ得る。第１アプリケーションは、情報システムによって実行される複数のアプリケーションに属し得る。媒体は、データの特定用途での使用、画像化装置の管理、及び信号の出力を生じさせる複数のコンポーネントを有し得る。
【０００５】
本発明は、１９９９年６月１５日にハニー（Ｈｏｎｅｙ）に付与された米国特許第５９１２７００号、１９９１年３月１２日にスチュワート（Ｓｔｕａｒｔ）に付与された米国特許第４９９８４４１号、１９７８年７月４日にサウアーマン（Ｓａｕｅｒｍａｎｎ）に付与された米国特許第４０９９０５０号、並びに１９７７年１０月１１日にベイン（Ｂｅｉｎ）に付与された米国特許第４０５３２３３号等に開示された先行技術を改良したものである。
【０００６】
本データ入力装置は、情報システム９１と併用され、第１コード化データ源、第１画像化装置、及びコンピュータ可読信号保持媒体１１からなる。
第１コード化データ源（例えば４１）は、第１データを表す。情報システムと信号接続された第１画像化装置は、第１の３本の直交軸の組に沿って延びる第１視界を有する。第１視界は、第１コード化データ源と重なっている（ｏｖｅｒｌａｐ）。
【０００７】
第１画像化装置は、情報システムに全て信号接続（９２）された複数の画像化装置３１に含まれる場合、第１視界は、複数の画像化装置の視界からなる集合視界３３の一部をなす。集合視界には、他の部分と重なっている部分もあれば、他の部分と重なることなく接している部分もあれば、他の部分と重なりも接しもしない部分もある。集合視界と集合視界の一部分とは、時間の経過に伴って変わり得る。
【０００８】
第１画像化装置が第１コード化データ源からの第１光を検出すると、第１画像化装置によって第１信号が発せられる。第１光は、第１データを表す。第１信号は、情報システムに入力される。第１信号は第１光を表しており、したがって第１データをも表している。第１画像化装置が複数の画像化装置に属する場合、第１光は、複数の画像化装置によって検出される集合光３２の一部をなす。
【０００９】
第１コード化データ源が複数のコード化データ源に属する場合、第１視界にある複数のコード化データ源に属する第２コード化データ源（例えば５１）は、第２データを指定し得る。第１画像化装置は、第１コード化データ源からの第１光と第２コード化データ源からの第２光とを同時に検出し、第１信号は第１光と第２光とを表し得る。
【００１０】
この文脈も含め本明細書において、「光を検出する」との表現は、単に光の存在を検出することを意味するだけではなく、画像化装置がコード化第１データを表す信号を発生させることができるように、第１データをコード化している光の特定の属性をも検出することも意味する。いくつかのデータ源からの光を同時に検出する点において、空間的に離れたいくつかのバーコードからの光を同時に検出することができないバーコード読取装置は、画像化装置とは区別される。
【００１１】
コンピュータ可読信号保持媒体は、情報システムと信号接続（９３）されている。この媒体は、情報システムに動作を起こさせることによって、種々の動作を発生させるコンポーネントを有する。この媒体は、第１データが第１アプリケーションを指定している場合に、情報システムによって実行される第１アプリケーションが第１データの少なくとも一部を利用できるようにする使用コンポーネント１２を有する。
【００１２】
画像化装置が第１光を検出し、第１光を分析（ｒｅｓｏｌｖｅ）可能な場合、第１信号は第１データを表す。画像化装置が第１光を検出するが、第１光を十分分析することができず、第１データを表す第１信号を得ることができない場合、媒体は下記の動作を実施し得る。
【００１３】
媒体は、使用データが出力を指定している場合に、第１アプリケーションによって第１データから算出された第１出力データを出力させるために適した出力コンポーネント２１をも有し得る。例えば、第１データが問い合わせを表し、第１出力データが回答を表すことがある。
【００１４】
第１コード化データ源が複数のコード化データ源に属し、第１アプリケーションが情報システムによって実行される複数のアプリケーションに属する場合、複数のコード化データ源に属する第２コード化データ源が、複数のコード化データ源に属する第２アプリケーションを指定し得る。媒体によって、第２アプリケーションが第２データの少なくとも一部を利用できるようになる。
【００１５】
媒体は、第１データの記録が許容される場合に、情報システムが利用可能な使用データの一部として第１データの少なくとも一部を情報システムによって記録させる記録コンポーネント１３を有し得る。本装置の一実施形態においては、複数のコード化データ源に属する全てのコード化データ源の記録が許容され得る。本装置の別の実施形態においては、複数のコード化データ源に属するいくつかの
コード化データ源のみの記録が許容され得る。
【００１６】
媒体は、第１データによって第１コード化データ源の識別情報の記録が許容される可能な場合に、この識別情報を使用データの一部として情報システムによって記録させる識別情報コンポーネント１４を有し得る。本装置の一実施形態においては、複数のコード化データ源に属する全てのコード化データ源によって識別情報の記録が許容され得る。本発明の一実施形態においては、複数のコード化データ源に属するいくつかのコード化データ源のみによって識別情報の記録が許容され得る。
【００１７】
媒体は、使用データによって指定された空間領域を複数の画像化装置のうちの画像化装置に描画させるために適した領域コンポーネント１５を有し得る。本装置の一実施形態において、複数のコード化データ源に属するどの第１コード化データ源も、描画対象となる第１空間領域を指定し得る。例えば、第１領域にあるアプリケーションが要求する使用データが存在し得る。本実施形態においては、使用データは、アナログ使用データ、ディジタル使用データ、又はこれらの組み合わせであり得る。
【００１８】
本装置の一実施形態においては、媒体は、コード化データ源によって指定されないが、領域コンポーネント及び使用データによって空間領域が画像化装置に描画されることがある。例えば、第１画像化装置によって検出されたコード化データ源からの光が第１データを十分に表していない場合、媒体によって、コード化データ源が存在する空間領域における第１画像化装置の拡大、空間領域をより鮮明に表示するための第１画像化装置の移動、空間領域を表示するための複数の画像化装置のうちの別の画像化装置の割り当てなどの動作が行なわれることがある。また、これら動作が組み合わせることや、鮮明な表示を得るために他の動作が行なわれることがある。
【００１９】
媒体は、参照点としての使用データの一部として第１コード化データ源の空間的位置を情報システムによって記録させるために適した方向特定コンポーネント１６を有し得る。本装置の一実施形態においては、この原因（ｃａｕｓａｔｉｏｎ）は、コード化データ源が方向特定（ｏｒｉｅｎｔａｔｉｏｎ）を指定している場合に生じ得る。例えば、複数のコード化データ源のうちのいくつかのコード化データ源は、専用の参照点となり、環境内に戦略的に配置され得る。
【００２０】
本装置の一実施形態においては、コード化データ源が方向特定を指定していない場合であっても、この原因が、媒体と使用データとの間の相互作用によって生じることがある。例えば、使用データによって安定であると示される環境内のコード化データ源が、媒体によって参照点として記録されることもある。
【００２１】
媒体は、集合視界を変化させるために適した表示コンポーネント２３を有し得る。本装置の一実施形態においては、コード化データ源が集合視界の変化を指定し得る。本装置の別の実施形態においては、コード化データ源は視界の変化を指定せず、使用データを使用する媒体が視界を変化させ得る。
【００２２】
媒体は、第１コード化データ源の位置を少なくとも１つの参照点を基準として特定させるために適した位置特定コンポーネント１７を有し得る。本装置の一実施形態においては、第１コード化データ源が位置特定を指定し得る。本装置の一実施形態においては、コード化データ源は位置特定を指定せず、使用データを使用している媒体が位置を特定させ得る。
【００２３】
媒体は、第１データ源の位置の経時変化（ｔｒａｃｋｉｎｇ  ｔｉｍｅ  ｓｅｒｉｅｓ）を使用データの一部として情報システムによって記録させるために適した追跡コンポーネント２２を有し得る。本装置の一実施形態においては、第１コード化データ源が追跡を指定し得る。
【００２４】
一実施形態においては、ユーザーが第１視界内で第１コード化データ源の位置を変化させ得る。第１データは、第１コード化データ源の位置であり得る。第１出力データは、コード領域の位置を表示装置にカーソルとして表示したものであり得る。別の実施形態においては、第１視界内でユーザーが第１コード化データ源の位置を変化させ、第１出力データにより工程が制御されることがある。この工程は、装置の動作であり得る。
【００２５】
本装置の一実施形態においては、使用データを使用する媒体が追跡を指定することがある。例えば、コード化データ源が環境の危険な部分に置かれている場合に、媒体によって当該コード化データ源のその後の位置が追跡され得る。
【００２６】
媒体は、位置の経時変化と第１データとが矛盾していないことを判定させるために適した確認コンポーネント１８を有し得る。
媒体は、情報システムに使用データを使用させて、複数の画像化装置のうちの少なくとも一部の画像化装置の調整を生じさせるために適した調整コンポーネント２４を有し得る。表示コンポーネントと確認コンポーネントとは、調整コンポーネントのコンポーネントであり得る。
【００２７】
調整コンポーネントは、画像化装置及び媒体の各種コンポーネントの動作を管理するために、使用データを分析させることがある。調整コンポーネントは、出力コンポーネントを介して画像化装置の動作を管理させ、媒体の各種コンポーネントの動作を管理させ得る。
【００２８】
調整コンポーネントは、画像化装置の全ての可変要素を変化させ得る。例えば、調整コンポーネントは、最適な解像度が得られるように画像化装置の焦点を調整させることがある。
【００２９】
調整コンポーネントは、画像化装置の視界と集合視界とを変化させ得る。調整コンポーネントは、少なくとも第１画像化装置に第１視界全体を走査させ得る。
調整コンポーネントは、特定の画像化装置を特定のコード化データ源に割当させ得る。第２画像化装置のほうがコード化データ源からの光を良好に検出できる場合に、調整コンポーネントは割当を第１画像化装置から第２画像化装置に変更させることがある。調整コンポーネントは、コード化データ源を検出するために、コード化データ源が画像化装置の視界外から視界内に戻る際に、外挿を使用して画像化装置を割り当てさせ得る。
【００３０】
調整コンポーネントは、コード化データ源の照度を変化させ得る。調整コンポーネントは、背景光によってコード化データ源を分析可能なように、照度を調整させ得る。
【００３１】
媒体は、使用データが最適化を指定している場合に、第１コード化データ源から対象位置への最適経路を生成させる最適化コンポーネント２５を有し得る。
媒体は、第１データが変化量を指定している場合に、変化量データを使用データの一部として記憶させる変化コンポーネント２６を有し得る。変化量データは第１データの一部であり得る。変化量データは、第１データによって指定される空間領域から媒体の領域コンポーネントにより描画されることもある。第１データは、変化量データの経時変化を使用データの一部として記録するように指定し得る。
【００３２】
媒体は、第１データが制御を指定している場合に、制御信号を生成させる制御コンポーネント２７を有し得る。制御信号は、第１データに関連するエージェントと相互作用し得る。第１データに関連するエージェントは装置であり得る。エージェントは、第１データによって識別され得る。エージェントは第１データを変更してもよい。制御信号は、電気、光、視覚、音声、及び触覚による信号、並びにエージェントを有する物又は装置にとって有用なその他の形態の信号であり得る。
【００３３】
一実施形態においては、変化量データは、工程の属性の値（例えば、温度）を示すことがある。制御信号は、工程を制御する制御装置に入力されてもよい。制御装置は、この制御信号を使用して、これに応じて工程を変更し得る。
【００３４】
任意の第１コード化データ源からの光は、定常光、可変光、及び被変調光の種々の物理属性によって第１データを表し得る。このような光の物理属性には、強度、周波数、位相、偏光、エンタングルメント、点滅速度、減衰時間、外形（ｅｘｔｅｒｎａｌ  ｓｈａｐｅ）、内形（ｉｎｔｅｒｎａｌ  ｓｈａｐｅ）、直線運動、回転運動、ひずみ運動（ｓｔｒａｉｎ  ｍｏｔｉｏｎ）、少なくとも１つの参照点からの距離などがあり、これら物理属性が２つ以上組み合わされることもある。第１データは、定常光、可変光、及び被変調光のこれら物理属性のパターンによって表され得る。
【００３５】
どの第１コード化データ源から来る光も、様々な光源に由来し得る。例えば、周囲光源（ａｍｂｉｅｎｔ  ｓｏｕｒｃｅ）からの光、コード化データ源における光源からの光、適切な放射で通電した後に発せられた光、適切な放射で通電した後に固有の減衰時間をもって発せられた光、コード化データ源を照らす画像化装置に隣接する光源からの光などがある。
【００３６】
第１コード化データ源からの光は可視光だけに限定されない。例えば、赤外光や、ミリメートル波、及びこれより長い波長の光を用いることができる。光は、本明細書中で要求されている機能を提供できる電磁スペクトルの一部の放射エネルギーである。音響エネルギーなど、本明細書中で要求されている機能を提供できる他の放射エネルギーも「光」に含まれる。
【００３７】
画像化装置は、２００１年４月３０日に特許協力条約に基づく国際出願第ＰＣＴ／ＵＳ０１／１３７４２号として提出され、２００１年１１月８日に公開された国際出願公開公報第ＷＯ０１／８４４７５  Ａ１号に開示されているデュアルモード画像化装置であってもよい。その他の画像化装置や、別の形態のコード化データ源を使用することも可能である。デュアルモード画像化装置と併用するために適したコード化データ源４１，５１は、画像化装置の位置特定モードによって検出される逆反射部４２，４４，５２，５４と、データを表し、画像化装置の応答モードによって検出されるカラー領域４３，５３とを有する。逆反射バンドのサイズの差によって方向４５，５５が定義される。
【００３８】
媒体の調整コンポーネントは、デュアルモード画像化装置の検出光を含み、特定の属性を有する光でコード化データ源を照光させ得る。調整コンポーネントは、これら光によって、移動しているコード化データ源を追跡させ得る。
【００３９】
画像化装置は、コード化データ源から来る光の物理属性値の範囲の一部を選択的に検出する素子を複数備えてもよい。画像化装置のいくつかの素子によっていくつかの部分が検出されて、これら部分が結合され、コード化データ源の画像を描画することなく、光の物理属性の全範囲が検出され得る。
【００４０】
複数の画像化装置のうちの少なくとも一部の画像化装置は、可撓性シートに組み込まれ得る。媒体の少なくとも一部は、可撓性シートに組み込まれ得る。情報システムの少なくとも一部は、可撓性シートに組み込まれ得る。複数のコード化データ源のうちの一部のコード化データ源は、可撓性シートに組み込まれ得る。これらの要素が種々に組み合わされて、可撓性シートに共に組み込まれ得る。さらに、動力源も可撓性シートに組み込まれ得る。
【００４１】
ここでは、及び本明細書全体においては、第１製品部分から第２製品部分への「信号」と、第１製品部分と第２製品部分とが「信号接続され」ているとの語は、第１製品部分の第１物理状態によって、第２製品部分の第２物理状態が変化することを指す。この状態は、種々の直接的な因果手段によって、及び種々の伝達手段によって達成することができる。伝達信号は、有線、無線、ファイバなどの種々のエネルギ伝達によるポイントツーポイント方式、ブロードキャスト方式などである。伝送信号は一部が伝送信号の１つの形式に存在し、ほかの部分が伝送信号の第２の形式に存在し、ほかの部分が伝送信号の種々の組み合わせに存在することがある。
【００４２】
ここで、いくつかの原因（ｃａｕｓｅ）が各種処理モードのいずれかによって作動することがある。固定回路などの設定済みの処理素子、プログラマブルゲートアレイやニューラルネットワークなどの設定可能な処理素子、又はデータ記録媒体に記録された命令などを用いて処理を行なうこともあれば、これらを併用して処理を行なうこともある。処理は、スタンドアロンで行なわれることも、ローカル情報システムを介して行なれることも、ネットワーク接続された情報システムを介して行われることもあれば、これらの組み合わせで行なわれることもある。
【図面の簡単な説明】
【図１】本装置を示す模式図。
【図１】
2004516564.tif 000003
【国際公開パンフレット】
2004516564.tif 000004
2004516564.tif 000005
2004516564.tif 000006
2004516564.tif 000007
2004516564.tif 000008
2004516564.tif 000009
2004516564.tif 000010
2004516564.tif 000011
2004516564.tif 000012
2004516564.tif 000013
2004516564.tif 000014
2004516564.tif 000015
2004516564.tif 000016
2004516564.tif 000017
2004516564.tif 000018
2004516564.tif 000019
2004516564.tif 000020
2004516564.tif 000021
2004516564.tif 000022
2004516564.tif 000023
【国際調査報告】
2004516564.tif 000024
2004516564.tif 000025